(57)【要約】【課題】基板ケースに収容した制御基板に対する不正行為を確実に防止し得る遊技機用の制御装置を提供する。【解決手段】基板ケース２０の外部に位置するサブ制御装置１８に接続される第３コネクタ２７を設置したコネクタ基板２５を、該サブ制御装置１８に対する制御用部品２２ａを備えた制御基板２２とは別体として設け、該制御基板２２に設けた第１コネクタ２３とコネクタ基板２５に設けた第２コネクタ２６とを電気的に接続する。そして、前記第２コネクタ２６を基板ケース２０の収容空間２１内に位置させ、かつ前記第３コネクタ２７を収容空間２１外に位置させるようコネクタ基板２５を基板ケース２０に配設するよう構成した。【選択図】図７
2006136563.tif 000002
【特許請求の範囲】
【請求項１】
遊技機に配設された各種装置を含む電気部品にコネクタを介して接続され、該各種装置を制御する制御部を有する制御基板と、内部に画成した収容空間に前記制御基板を収容する基板ケースとからなる遊技機用の制御装置であって、
前記コネクタが設置されたコネクタ基板を、前記制御部を備えた制御基板とは別体に設け、該制御基板に設けた第１接続部とコネクタ基板に設けた第２接続部とを電気的に接続するよう構成し、
前記第２接続部を前記収容空間内に位置させ、かつ前記コネクタを収容空間外に位置させるよう前記コネクタ基板を前記基板ケースに配設した
ことを特徴とする遊技機用の制御装置。
【請求項２】
前記コネクタ基板における前記第２接続部の設置領域と、前記コネクタの設置領域とを区切る画壁を、前記基板ケースに形成するようにした請求項１記載の遊技機用の制御装置。
【請求項３】
前記基板ケースは、前記コネクタ基板のコネクタの外形形状に略合致する開口部を開設した遮蔽部を一体または別体として備え、前記コネクタ基板は、前記遮蔽部の開口部に挿通したコネクタのみが基板ケースの外部に露出するようになっている請求項１または２記載の遊技機用の制御装置。
【発明の詳細な説明】
【技術分野】
【０００１】
本発明は、遊技機用の制御装置に関し、更に詳しくは、遊技機に配設した各種電気部品の制御基板を、基板ケースに画成した収容空間に収容保護するよう構成された制御装置に関するものである。
【背景技術】
【０００２】
例えば遊技機の代表例の一つであるパチンコ機やアレンジボール機では、機内にセットされる遊技盤に、パチンコ球の流下方向を変更する遊技釘や風車等が設けられる一方、図柄表示装置や電動式入賞装置、スピーカ、その他電飾装置等の各種電気部品が配設されている。そして、前記各電気部品の夫々を制御装置に接続し、該制御装置の制御に基づいて対応する電気部品を作動させることで、所要のパチンコゲームが展開されると共に該パチンコゲームに合わせて効果音や装飾光を現出させるようになっている。ここで、前記制御装置は、各種制御用部品(マイクロプロセッサ)を実装した制御基板を保護用の基板ケース内に収容するよう構成され、該制御基板を外部から直接接触し得ないよう構成される。
【０００３】
ところで、前記基板ケースには、前記制御基板に実装されたコネクタを露出させる開口部を開設する必要があるため、該開口部とコネクタとの間に生ずる隙間を介して制御基板に対して不正行為が行なわれる可能性がある。そこで、前記基板ケースの開口部とコネクタとの間に生ずる隙間を介して不正行為が行なわれないよう構成した基板ケースに関する提案がなされている(例えば、特許文献１および特許文献２参照)。これら特許文献１および２では、前記コネクタの外形形状と略合致する形状で開口する開口部を開設した遮蔽部材を設けることで、基板ケースの開口部とコネクタとの間に生ずる隙間を塞ぐよう構成している。
【特許文献１】特開平１１−３３１９４号公報
【特許文献２】特開２０００−３２５６２８号公報
【発明の開示】
【発明が解決しようとする課題】
【０００４】
しかしながら、前記コネクタと開口部との間の隙間を塞ぐ遮蔽部材を設けた場合であっても、該隙間を完全に塞ぐことは困難で、僅かな隙間は残ることとなる。すなわち、この僅かな隙間を介して前記制御基板に対して不正行為が行なわれる問題を内在している。
そこで、本発明は、基板ケースに収容した制御基板に対する不正行為を確実に防止し得る遊技機用の制御装置を提供することを目的とする。
【課題を解決するための手段】
【０００５】
前記課題を克服し、所期の目的を好適に達成するため、本発明に係る遊技機は、
遊技機(10)に配設された各種装置を含む電気部品(16,18)にコネクタ(27)を介して接続され、該各種装置を制御する制御部(22a)を有する制御基板(22)と、内部に画成した収容空間(21)に前記制御基板(22)を収容する基板ケース(20)とからなる遊技機用の制御装置であって、
前記コネクタ(27)が設置されたコネクタ基板(25)を、前記制御部(22a)を備えた制御基板(22)とは別体に設け、該制御基板(22)に設けた第１接続部(23)とコネクタ基板(25)に設けた第２接続部(26)とを電気的に接続するよう構成し、
前記第２接続部(26)を前記収容空間(21)内に位置させ、かつ前記コネクタ(27)を収容空間(21)外に位置させるよう前記コネクタ基板(25)を前記基板ケース(20)に配設したことを特徴とする。
【０００６】
また、前記コネクタ基板(25)における前記第２接続部(26)の設置領域と、前記コネクタ(27)の設置領域とを区切る画壁(31b,44,61,64)を、前記基板ケース(20)に形成するようにしてもよい。
【０００７】
更に、前記基板ケース(20)は、前記コネクタ基板(25)のコネクタ(27)の外形形状に略合致する開口部(32a)を開設した遮蔽部(32)を一体または別体として備え、前記コネクタ基板(25)は、前記遮蔽部(32)の開口部(32a)に挿通したコネクタ(27)のみが基板ケース(20)の外部に露出するよう構成することもできる。
【発明の効果】
【０００８】
本発明の請求項１に係る遊技機は、基板ケースの内部に画成した収容空間内にコネクタ基板の第２接続部を位置させることで、収容空間に収容された制御基板の第１接続部と該第２接続部とを電気的に接続し得ると共に、該コネクタ基板のコネクタを収容空間外に位置させることで、基板ケース外部の各種電気部品を該コネクタに電気的に接続し得る。すなわち、制御部を備えた制御基板は、前記収容空間内に完全に収容された状態で前記コネクタ基板を介して電気部品と電気的に接続し得ると共に、該制御基板が基板ケース外部に露出しないから、当該制御基板に対する不正行為を防止できる。また、前記コネクタ基板を基板ケースに配設することで、該コネクタ基板を基板ケースと一体的に取扱い得る利点がある。
【０００９】
そして、請求項２に係る遊技機は、前記コネクタ基板における前記コネクタの設置領域と、前記第２接続部の設置領域とを区切る画壁を基板ケースに形成することで、該第２接続部を外部から遮断できる。また、請求項３に係る遊技機は、前記コネクタの外形形状に略合致する開口部を開設した遮蔽部材を前記基板ケースと一体または別体で設け、前記コネクタ基板の内、遮蔽部材の開口部に挿通したコネクタのみが基板ケースの外部に露出するようにしたことで、該コネクタ基板を保護し得ると共に、前記制御基板に対する不正行為をより確実に防止し得る。
【発明を実施するための最良の形態】
【００１０】
次に、本発明に係る遊技機について、好適な実施例を挙げて、添付図面を参照しながら、以下詳細に説明する。なお実施例では、パチンコ球を遊技媒体として使用する一般的なパチンコ機を例にして説明する。
【実施例】
【００１１】
先ず、実施例のパチンコ機につき、図１を参照して要約説明する。実施例のパチンコ機１０は、外郭をなす外枠１１に対して、遊技盤１３を着脱交換可能に備えた中枠１２が連結支持手段および施錠手段(何れも図示せず)を利用して着脱および開閉可能に組付けられている。そして、前記中枠１２の前側に、前記遊技盤１３を透視保護するガラス板を組付けた前枠や、パチンコ球を貯留する上下の球皿、その他打球発射装置等が夫々設けられ、該中枠１２の裏側に機構セット盤１４が配設されている。なお、以下の説明において前後、左右および上下とは、図１に示すように、パチンコ機１０を裏側から観察した位置関係で指称するものとする。
【００１２】
前記機構セット盤１４には、図１に示すように、前記中枠１２に配設された遊技盤１３の点検用の窓口１４ａが開設され、この窓口１４ａの外周囲にパチンコ球を貯留する球タンク１５ａ等を備えた球貯留供給部１５が設けられると共に、該球貯留供給部１５のパチンコ球を賞球または貸球として前記上下の球皿に払出す球払出装置１６が取付けられる。また、前記機構セット盤１４には、パチンコ機１０の全体を制御するメイン制御装置１７や、前記球払出装置１６やその他パチンコ機１０に設けられる電飾装置(図示せず)等の各種装置を制御する各種サブ制御装置１８が配設されており、該メイン制御装置１７からの制御に基づいて各サブ制御装置１８が対応の装置を制御して、所定の遊技演出(遊技動作)を行なうようになっている。また、前記メイン制御装置１７には、前記サブ制御装置１８の他に、球検出センサや駆動ソレノイド(何れも図示せず)等の電気部品も接続されており、該球検出センサの検出信号を受信したり、サブ制御装置１８に制御信号を送信したりして、メイン制御装置１７が適宜制御を行ない得るよう構成されている。このように、実施例では、球払出装置１６、電飾装置およびサブ制御装置１８が各種装置を構成し、該各種装置、球検出センサおよび駆動ソレノイドが電気部品を構成している。
【００１３】
ここで、図２、図７または図８に示すように、前記メイン制御装置１７は、機構セット盤１４に対して着脱されるベース部材３８と、該ベース部材３８の開口側(前側)に対して着脱可能に組付けられるカバー部材３０とからなる基板ケース２０の内部に画成される収容空間２１に、制御基板２２およびコネクタ基板２５(図３および図４参照)の一部を収容して構成され、該基板ケース単位で一体的に取扱い得るようになっている。なお、図２では、前記制御基板２２およびコネクタ基板２５の図示を省略してある。ここで、前記制御基板２２の配線基板２２ｄは、図３または図７に示すように、左上角部に切欠部２２ｂが形成されている。また、配線基板２２ｄの表面には、前記サブ制御装置１８等の各種装置を制御するマイクロプロセッサ(制御部)２２ａと、トランジスタや抵抗、コンデンサ等の素子２２ｅとが実装されると共に、前記切欠部２２ｂの近傍に第１コネクタ(第１接続部)２３を設けてある。なお、前記制御基板２２には、前後に貫通する通孔２２ｃが各角部近傍の４箇所に形成されている。
【００１４】
また、図４または図７に示すように、前記コネクタ基板２５の配線基板２５ｄは、前記制御基板２２の切欠部２２ｂに臨む第１片部２５ａと、該制御基板２２の左右方向の幅に略整合する第２片部２５ｂとから略Ｌ字状に形成され、該第１片部２５ａを切欠部２２ｂに臨ませた際に、制御基板２２とコネクタ基板２５とにより略矩形状をなすよう構成される。また、前記第１片部２５ａの表面には、前記第１コネクタ２３に対してハーネス２８(図７参照)を介して電気的に接続される第２コネクタ(第２接続部)２６が設けられると共に、前記第２片部２５ｂの表面には、前記サブ制御装置１８や球検出センサ等の電気部品に接続したハーネスのコネクタ(図示せず)を接続する第３コネクタ(コネクタ)２７が複数設けられている。すなわち、前記配線基板２５ｄには、第２コネクタ２６や第３コネクタ２７等のコネクタ部品のみが実装されている。そして、前記第１コネクタ２３と第２コネクタ２６とを電気的に接続すると共に、サブ制御装置１８等を前記第３コネクタ２７に電気的に接続することで、前記球検出センサからの検出信号を制御基板２２に送信し得ると共に、該制御基板２２からの制御信号をサブ制御装置１８に送信し得るようになっている。なお、前記コネクタ基板２５には、前記第２片部２５ｂの左右に離間する２箇所と前記第１片部２５ａの１箇所に、前後に貫通する通孔２５ｃが夫々形成されている。
【００１５】
また、図２または図５に示すように、前記カバー部材３０は、略矩形状の前面壁３１ａにおける４つの縁部に上下および左右の側壁３１ｂ,３１ｃ,３１ｄ,３１ｅが連設されて後側(ベース部材３８側)に開口する箱状部３１と、該箱状部３１における上側壁(画壁)３１ｂの開放端縁に連設されて箱状部３１の開口面に沿って略直角上方に所定長さで延出する保護壁(遮蔽部)３２とから基本的に構成される。すなわち、前記カバー部材３０をベース部材３８に組付けた際に、前記箱状部３１の内側に前記制御基板２２を収容可能な前記収容空間２１が画成されるようになっている。
【００１６】
また、前記保護壁３２における左右両端部近傍には、図５,図８および図９に示すように、位置決めボス３３ａ,３３ａが表側に向けて突設されており、該位置決めボス３３ａ,３３ａのベース部材３８側(裏側)にネジ孔(図示せず)が螺設されている。そして、前記コネクタ基板２５の表面を保護壁３２の後面に対向して当接した状態で、前記第２片部２５ｂに形成した各通孔２５ｃに挿通したネジ３６を対応のネジ孔に螺挿することで、該コネクタ基板２５が保護壁３２に密着するよう固定される。なお、前記保護壁３２には、前記コネクタ基板２５の各第３コネクタ２７と対応する位置に、各第３コネクタ２７の外形形状に略合致する形状の開口部３２ａが夫々開設されており、該開口部３２ａを介してカバー部材３０の外部に第３コネクタ２７を露出させ得るよう構成されている(図７または図８参照)。すなわち、前記サブ制御装置１８や球検出センサ等に接続したハーネスのコネクタ(図示せず)を対応する第３コネクタ２７に容易に接続し得るよう構成される。また、この状態で各第３コネクタ２７の外周囲(配線基板２５ｄにおける第２片部２５ｂの表面)は保護壁３２で覆われることとなり、コネクタ基板２５に対する保護が図られている。
【００１７】
図５、図７または図８に示すように、前記箱状部３１における前面壁３１ａの内面には、前記制御基板２２に形成した４つの通孔２２ｃおよびコネクタ基板２５の第１片部２５ａに形成した通孔２５ｃの夫々に対応するよう位置決めボス３３ｂが５箇所(図８には３箇所のボス３３ｂのみを図示)に裏側に向けて突設されると共に、各位置決めボス３３ｂの突出端部にネジ孔(図示せず)が夫々螺設されている。すなわち、前記制御基板２２の各通孔２２ｃに挿通したネジ３６、および前記第１片部２５ａの通孔２５ｃに挿通したネジ３６を対応する位置決めボス３３ｂのネジ孔に螺挿することで、前記カバー部材３０に制御基板２２およびコネクタ基板２５の夫々が固定される。なお、前記箱状部３１における左右の側壁３１ｄ,３１ｅの上端近傍に、後方(ベース部材３８側)かつ上方に延出する略Ｌ状の係合片３４,３４を形成してある(図５および図９参照)。
【００１８】
ここで、前記カバー部材３０にコネクタ基板２５を固定した状態では、図７または図８に示すように、前記箱状部３１(カバー部材３０)の上側壁３１ｂの後端縁(ベース部材３８側の端縁)がコネクタ基板２５の表面における第１片部２５ａと第２片部２５ｂとの間に密着し、該コネクタ基板２５における第２コネクタ２６の設置領域と、第３コネクタ２７の設置領域とを区切るようになっている。すなわち、前記第２コネクタ２６は前記収容空間２１内に位置する一方、前記第３コネクタ２７は収容空間２１外に位置するよう前記基板ケース２０にコネクタ基板２５が取付けられる。このように、実施例では、前記箱状部３１(カバー部材３０)の上側壁３１ｂが、前記コネクタ基板２５における前記第２コネクタ２６の設置領域と、前記第３コネクタ２７の設置領域とを区切る画壁として機能している。
【００１９】
なお、図２または図５に示すように、前記箱状部３１の前面壁３１ａには、多数の放熱孔３７が形成されており、前記制御基板２２が発する熱を基板ケース２０の外部に放熱し得るよう構成されている。ここで、前記各放熱孔３７は、例えば直径１ｍｍ程度の小孔に設定されているため、該放熱孔３７を介して収容空間２１内に異物(不正手段)を侵入させて前記制御基板２２に対して不正行為を行なうのは現実的に不可能となっている。
【００２０】
前記ベース部材３８は、図２または図６に示すように、略矩形状の後面壁３８ａにおける４つの縁部に上下および左右の側壁３８ｂ,３８ｃ,３８ｄ,３８ｅが連設されて前側(カバー部材３０側)に開口する皿状に形成されている。なお、前記後面壁３８ａは、前記制御基板２２とコネクタ基板２５とを配置可能な大きさに設定してある。また、図６に示すように、前記後面壁３８ａにおける下側壁３８ｃおよび左右の側壁３８ｄ,３８ｅから内方に所定間隔離間する位置に、各側壁３８ｃ,３８ｄ,３８ｅより高い寸法で突出する下規制壁３９ａおよび左右の規制壁３９ｂ,３９ｃが略平行に立設されている。そして、左右の側壁３８ｄ,３８ｅと左右の規制壁３９ｂ,３９ｃとの間であってベース部材３８の上部位置に、前記カバー部材３０の対応する係合片３４,３４を前側から挿入可能なスリット４０,４０を上下方向に延在するように形成してある。
【００２１】
なお、図６に示す如く、各スリット４０,４０の上部位置における前面側は係合板４１,４１により塞がれており、スリット４０,４０に挿入した係合片３４,３４が係合板４１,４１に係合することで、ベース部材３８に対するカバー部材３０の係合位置決めがなされるよう構成される。すなわち、図２に示すように、ベース部材３８に対してカバー部材３０を適宜傾斜状態で各スリット４０に係合片３４を挿入させて、カバー部材３０をベース部材３８の開口面に整合させれば、各係合片３４が対応の係合板４１に係合し、スリット４０からの係合片３４の前方への抜止めがなされる(図９参照)。
【００２２】
ここで、前記各規制壁３９ａ,３９ｂ,３９ｃの後面壁３８ａからの開口側への突出寸法や上下または左右への延在寸法は、前記カバー部材３０における箱状部３１の深さ寸法や上下または左右寸法より僅かに小さく設定され、ベース部材３８にカバー部材３０を組付けた際に、規制壁３９ａ,３９ｂ,３９ｃが箱状部３１の内側に臨み、両部材３０,３８の組合わせ面からの針金等の侵入を阻止して不正行為の防止を図るよう構成してある。
【００２３】
前記ベース部材３８の下規制壁３９ａおよび左右の規制壁３９ｂ,３９ｃの内側面には、図６に示すように、複数の第１支持片４２が相互に離間して一体成形されており、全ての第１支持片４２の後面壁３８ａからの高さ寸法は同一に設定される。そして、これら第１支持片４２の前端(ベース部材３８の開口側を向く端)に、前記制御基板２２の対応する端縁部の裏面が当接して後方への変位を規制するようになっている。またベース部材３８の上側壁３８ｂの内側面にも、前記第１支持片４２と略同一高さに設定された複数の第２支持片４３が相互に離間して一体成形されており、該第２支持片４３の前端に前記コネクタ基板２５の上端縁部の裏面を当接支持するよう構成される。
【００２４】
また、図６または図８に示すように、前記ベース部材３８における後面壁３８ａの上部位置には、前記カバー部材３０における箱状部３１の上側壁３１ｂと前後に整列する位置に、左右方向の全長に亘って延在する区画壁(画壁)４４が突設されており、該区画壁４４が前記コネクタ基板２５の裏面に密着するようになっている。ここで、前記カバー部材３０とベース部材３８とを組付けた状態では、図８に示すように、前記区画壁４４の前端縁(カバー部材３０側の端縁)がコネクタ基板２５の裏面における第１片部２５ａと第２片部２５ｂとの間に密着し、該コネクタ基板２５の裏面を、第２コネクタ２６の設置領域と第３コネクタ２７の設置領域とに区切るようになっている。すなわち、コネクタ基板２５の裏面においても前記第２コネクタ２６は前記収容空間２１内に位置する一方、前記第３コネクタ２７は収容空間２１外に位置するよう構成されている。また、この状態において前記コネクタ基板２５の裏面は、前記ベース部材３８で覆われることとなり、該コネクタ基板２５に対する保護が図られている。
【００２５】
ここで、前記カバー部材３０とベース部材３８とは、夫々の開口側縁部に形成した連結手段を利用して連結されるようになっている。すなわち、図２または図５〜図９に示すように、前記カバー部材３０の下側壁３１ｃの左側および右側に、夫々４個の第１連結部３５が一体的に形成されると共に、前記ベース部材３８の下側壁３８ｃの左側および右側に、夫々４個の第２連結部４６が一体的に形成されている。これら第１連結部３５と第２連結部４６は、カバー部材３０をベース部材３８に組付けたときに整合するよう構成され、左側および右側で整合した各４個の第１連結部３５のうちの何れか１つを対応する第２連結部４６にネジ４９を介して連結ネジ締めすることで、カバー部材３０およびベース部材３８の下側壁３１ｃ,３８ｃが係着されるようになっている。なお、図２では全ての第１連結部３５に対応してネジ４９が描かれているが、実施例では左右１本ずつで合計２本のネジ４９でベース部材３８とカバー部材３０とが係着される。
【００２６】
また、実施例の基板ケース２０では、前記制御基板２２の不正改造や交換変更等の不正行為の防止策として、カバー部材３０の不正な開放を阻止すると共に開放の履歴を残し得るようになっている。すなわち、前記ネジ４９は、一方向の回転のみが許容される構造(逆回転不能な構造)になっており、一度ネジ締めをするとカバー部材３０とベース部材３８とは分離不能となる。更に、各第１連結部３５は、キャップ片４８を取外し不能に前側から嵌着し得るよう構成されており、ネジ４９を介して第２連結部４６に連結した第１連結部３５にキャップ片４８を嵌着することにより、工具による当該ネジ４９の弛み外し操作を不可能とし得るよう構成してある。なお、前記カバー部材３０を開放するに際しては、前記第２連結部４６に連結した第１連結部３５をカバー部材３０から切断する必要があり、該第１連結部３５の切断片の有無により開放の履歴が残るようになっている。また実施例では、ベース部材３８における下側壁３８ｃに形成された枠部４７に６個のキャップ片４８が切離し可能に一体成形され、必要に応じて適宜切断して使用に供し得るようになっている。
【００２７】
なお、前記ベース部材３８における左側壁３８ｄの外側には、上下に離間して一対の枢着手段５０,５０が一体成形されており、該枢着手段５０,５０を介して基板ケース２０が前記機構セット盤１４に対して着脱および回動開閉可能に枢着されるようになっている。そして、ベース部材３８における右側壁３８ｅの外側に、上下に離間して一対の結合手段５１,５１が一体成形されており、前記機構セット盤１４に形成した係止具５２,５２(図１参照)に各結合手段５１,５１を係合することで、機構セット盤１４に対して基板ケース２０が閉成状態で固定されるよう構成される。なお、前記ベース部材３８の後面壁３８ａの外側(機構セット盤１４側)に金属製のシールド板５３が配設され、基板ケース２０内の収容空間２１に収容した前記制御基板２２に対する電磁波の遮蔽対策が施されている。
【００２８】
〔実施例の作用〕
次に、前述した実施例に係るパチンコ機の作用につき説明する。
【００２９】
前記基板ケース２０を組立てるに際しては、前記制御基板２２に設けた第１コネクタ２３と、前記コネクタ基板２５に設けた第２コネクタ２６とをハーネス２８を介して接続する。この状態で、前記保護壁３２の各開口部３２ａからコネクタ基板２５の対応する第３コネクタ２７を挿通して前方(カバー部材３０の外部)に露出させると共に、これら両基板２２,２５に形成した通孔２２ｃ,２５ｃに挿通したネジ３６を、カバー部材３０における対応のネジ孔に夫々螺挿することで、該制御基板２２とコネクタ基板２５をカバー部材３０の開口側に固定する。
【００３０】
次いで、前記制御基板２２およびコネクタ基板２５を固定した前記カバー部材３０の係合片３４,３４を、前記ベース部材３８の対応するスリット４０,４０に挿入し、該カバー部材３０の開口部とベース部材３８の開口部とが整合するよう回動閉成する。そして、前記ベース部材３８の下側壁３８ｃに形成した各第２連結部４６と、カバー部材３０の下側壁３１ｃに形成した各第１連結部３５とを夫々整合させて、カバー部材３０の左側および右側で整合した各４個の第１連結部３５のうちの何れか１つを、対応する第２連結部４６にネジ４９を介して連結ネジ締めすることで、ベース部材３８とカバー部材３０とが分離不能に固定される。更に、ネジ４９により固定した第１連結部３５にキャップ片４８を嵌着することにより、工具による当該ネジ４９の弛み外し操作を不可能として、カバー部材３０の不正開放を防止し得る。
【００３１】
ここで、実施例では、前記カバー部材３０とベース部材３８とを組付けた際に、制御用部品２２ａを取付けた前記制御基板２２を前記収容空間２１内に完全に収容(密閉)して制御基板２２がケース外部に露出しないよう構成したから、該制御基板２２に対する不正行為を確実に防止することが可能である。ところで、パチンコ機１０で所要の遊技演出を行なうためには、基板ケース２０の外部に位置する前記サブ制御装置１８や球検出センサ等を前記制御基板２２に電気的に接続する必要がある。そこで、実施例では、前記制御基板２２とは別体としてコネクタ基板２５を設けると共に、該コネクタ基板２５の第１片部２５ａ(第２コネクタ２６の設置領域)を収容空間２１内に位置させ、コネクタ基板２５の第２片部２５ｂ(第３コネクタ２７の設置領域)を収容空間２１外に位置させるよう前記カバー部材３０(箱状部３１)の上側壁３１ｂで区切るよう構成してある。
【００３２】
従って、前記収容空間２１内で前記制御基板２２の第１コネクタ２３とコネクタ基板２５の第２コネクタ２６を電気的に接続すると共に、収容空間２１外でコネクタ基板２５の第３コネクタ２７とサブ制御装置１８や球検出センサ等からのハーネスのコネクタとを接続して、該制御基板２２とサブ制御装置１８や球検出センサ等とを電気的に接続し得る。すなわち、前記制御基板２２を収容空間２１内に完全に収容(密閉)した状態で、球検出センサからの検出信号を制御基板２２に送信し得ると共に、該制御基板２２からの制御信号をサブ制御装置１８に送信して、所要の遊技演出を行なうことができる。このように、実施例に係るメイン制御装置１７では、前記収容空間２１内に制御基板２２を完全に収容した状態であっても、前記コネクタ基板２５を介してサブ制御装置１８や球検出センサ等と制御基板２２とを電気的に接続し得ると共に、該コネクタ基板２５を区切る前記カバー部材３０(箱状部３１)の上側壁３１ｂにより収容空間２１内への異物の侵入を阻止して制御基板２２に対する不正行為を防止できる。
【００３３】
また、実施例のように、前記コネクタ基板２５を制御基板２２とは別体として設けた場合であっても、該コネクタ基板２５を基板ケース２０に取付けることで、コネクタ基板２５を基板ケース２０と一体的に取扱うことができる。すなわち、別途コネクタ基板２５を設けた場合でも、メイン制御装置１７を従来と同様に取扱い得る。また、メイン制御装置１７とサブ制御装置１８との接続作業に関しても、従来と同様にメイン制御装置１７の基板ケース２０に設けられた前記第３コネクタ２７に対して接続するだけでよいから、作業性の低下等を招来することはない。
【００３４】
更に、前記保護壁３２に開設した前記開口部３２ａは、前記第３コネクタ２７の外形形状に略合致するよう形成してあるから、該保護壁３２と第３コネクタ２７との間に生ずる隙間を極力小さくすることができ、該開口部３２ａを介して基板ケース２０の内部(収容空間２１内)に異物が挿入されるのを防止し得る。また、前記カバー部材３０にコネクタ基板２５を固定した状態では、該コネクタ基板２５の表面(第２片部２５ｂ)に保護壁３２が密着するから、該コネクタ基板２５の保護を図り得ると共に、前記収容空間２１内に異物を挿入するのをより困難にして、前記制御基板２２への不正行為を確実に防止することが可能である。更に、前記ベース部材３８に形成した区画壁４４により、前記コネクタ基板２５の裏面における第１片部２５ａ(第２コネクタ２６の設置領域)と第２片部２５ｂ(第３コネクタ２７の設置領域)とを区切るよう構成してあるから、仮に前記保護壁３２の開口部３２ａを介して前記コネクタ基板２５の裏面側まで異物が侵入された場合であっても、該区画壁４４により異物が前記制御基板２２を収容した収容空間２１まで侵入するのは阻止できるから、該制御基板２２に対して不正行為が行なわれる虞はない。また、ベース部材３８の区画壁４４は、カバー部材３０の上側壁３１ｂと前後に整列する位置に形成されると共に、コネクタ基板２５の裏面に密着するようになっているから、仮にコネクタ基板２５に対して裏側方向への外力を加えたとしても、上側壁３１ｂとの間に隙間が生ずることはなく、コネクタ基板２５の表面と上側壁３１ｂとの密着状態を良好に保つことができる。
【００３５】
ここで、例えばコネクタ基板２５をベース部材３８に対して固定した状態で、該ベース部材３８に対してカバー部材３０を回動開閉する場合、殊に前記第３コネクタ２７のコネクタ基板２５からの突出高さが大きいものや、第３コネクタ２７が複数近接して並んでいるものでは、円弧状に移動する保護壁３２の各開口部３２ａの縁部に第３コネクタ２７が干渉して開口部３２ａに挿入できなくなるおそれがある。しかるに実施例では、前記コネクタ基板２５をカバー部材３０に予め固定して第３コネクタ２７を開口部３２ａに挿通させた状態で、該カバー部材３０をベース部材３８に対して回動開閉するよう構成したから、カバー部材３０の回動開閉に際して第３コネクタ２７が保護壁３２に干渉することはなく、スムーズな開閉が達成される。
【００３６】
〔変更例〕
なお、本発明に係る遊技機としては、実施例のものに限られるものではなく、種々の変更が可能である。例えば、コネクタ基板における電気部品に接続するコネクタの設置領域と、制御基板に接続する第２接続部の設置領域とを区切る構成に関しては、実施例のものに限られるものではなく、任意の構成を採用し得る。具体的には、図１０に示すように、カバー部材６０にコネクタ基板２５の制御基板２２側の端縁に当接する規制片(画壁)６１を形成するようにしてもよく、また図１１に示すように、前記ベース部材６３に規制片６１の後端縁に当接する画壁６４を形成することも可能である。この場合にも、制御基板２２の第１コネクタ２３に接続する第２コネクタ２６を収容空間２１内に位置させ、サブ制御装置１８や球検出センサ等に接続する第３コネクタ２７を収容空間２１外に位置させることができ、実施例と同様の作用効果を得られる。また、前記規制片６１や画壁６４を設けることで、収容空間２１内への異物の侵入をより確実に阻止することが可能となる。なお、図１０および図１１において、実施例と同一の機能を有する部材には同一の符号を付してある。
【００３７】
また、制御基板やコネクタ基板の形状に関しては実施例のものに限定されるものではなく、任意に決定することができる。すなわち、前記制御基板は、基板ケースの収容空間内に収容可能な大きさに形成して、その任意の位置に第１接続部が形成されると共に、コネクタ基板に、該第１接続部と接続される第２接続部と、基板ケース外部の電気部品に接続されるコネクタとを備えるものであれば、その大きさ・形状を任意に設定することができる。なお、制御基板とは別体として設けるようにすれば、複数のコネクタ基板を設けることも可能である。また、前記第１および第２接続部は、相互に電気的に接続可能な構成であれば、実施例のようなハーネスを介して接続する構成に限らず、従来公知の各種構成・部材を採用可能である。
【００３８】
更に、基板ケースに関しても、内部に画成した収容空間内に制御基板に接続する第２接続部を位置させ、かつ各種電気部品に接続するコネクタを収容空間外に位置させるよう前記コネクタ基板を配設可能な形状および大きさに形成すればよい。また、実施例では、前記コネクタ基板におけるコネクタの外形形状に略合致する開口部を開設した遮蔽部を基板ケース(カバー部材)と一体に形成するようにしたが、該遮蔽部を基板ケースとは別体として設けるようにしても実施例と同様の作用効果を得られる。なお、実施例のようにカバー部材に放熱孔を設ける構成に限られるものではなく、不正防止効果をより高める場合には、該放熱孔を省略することもできる。すなわち、前記放熱孔を省略することで、制御基板を基板ケースにより完全に密閉することができるから、異物の侵入をより確実に阻止して不正行為を防止し得る。
【００３９】
また、実施例ではパチンコ機全体を制御するメイン制御装置に本発明に係る構成を採用したが、これに限られるものではなく、その他の制御装置に採用することが可能である。更に、実施例のようにパチンコ機に設けられる制御装置に限らず、アレンジボール機やスロットマシン機、その他の各種の遊技機に設けられる制御装置に本発明に係る構成を採用することができる。
【図面の簡単な説明】
【００４０】
【図１】本発明の実施例に係るメイン制御装置を備えたパチンコ機を示す背面図である。
【図２】実施例に係るメイン制御装置の基板ケースを、ベース部材に対してカバー部材を開放した状態で示す斜視図である。
【図３】実施例に係る制御基板を示す正面図である。
【図４】実施例に係るコネクタ基板を示す正面図である。
【図５】実施例に係るカバー部材を示す正面図である。
【図６】実施例に係るベース部材を示す正面図である。
【図７】実施例に係るメイン制御装置を、カバー部材の箱状部で縦断して示す正面図である。
【図８】図７におけるＡ−Ａ線で縦断して示す側断面図である。
【図９】実施例に係るカバー部材の係合片とベース部材のスリットとを係合状態の要部を断面で示すメイン制御装置の側面図である。
【図１０】変更例に係る制御装置の要部を示す縦断側面図である。
【図１１】別の変更例に係る制御装置の要部を示す縦断側面図である。
【符号の説明】
【００４１】
１０  パチンコ機(遊技機)
１６  球払出装置(各種装置,電気部品)
１８  サブ制御装置(各種装置,電気部品)
２０  基板ケース
２２  制御基板
２２ａ  マイクロプロセッサ(制御部)
２３  第１コネクタ(第１接続部)
２５  コネクタ基板
２６  第２コネクタ(第２接続部)
２７  第３コネクタ(コネクタ)
３１ｂ  上側壁(画壁)
３２  保護壁(遮蔽部)
３２ａ  開口部
４４  区画壁(画壁)
６１  規制片(画壁)
６４  画壁
【図１】
2006136563.tif 000003
【図２】
2006136563.tif 000004
【図３】
2006136563.tif 000005
【図４】
2006136563.tif 000006
【図５】
2006136563.tif 000007
【図６】
2006136563.tif 000008
【図７】
2006136563.tif 000009
【図８】
2006136563.tif 000010
【図９】
2006136563.tif 000011
【図１０】
2006136563.tif 000012
【図１１】
2006136563.tif 000013